(57)【要約】【課題】  表面張力の異なるインクを用いる場合において、記録媒体の表面色の影響による画質低下を抑制した記録を行う。【解決手段】  表面張力が低いインク、表面張力が高いインクの順に吐出される走査において、表面張力が高いインクの吐出量が少なくなるように、インクの吐出を制御する。【選択図】  図８
2018140536.tif 000002
【特許請求の範囲】
【請求項１】
第１の種類のインクと、前記第１の種類と異なる第２の種類のインクと、を少なくとも含む複数の種類のインクを吐出する記録ヘッドと、
前記記録ヘッドを記録媒体上の単位領域に対して少なくとも第１の走査と第２の走査を行い、前記記録ヘッドから前記複数の種類のインクを吐出するように記録動作を制御する制御手段と、を有する記録装置であって、
前記第１の種類のインクの表面張力は、前記第２の種類のインクの表面張力よりも大きく、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記制御手段は、前記単位領域に対し、（ｉ）前記第２の走査における前記第１の種類のインクの吐出量が前記第１の走査における前記第１の種類のインクの吐出量よりも少なくなり、且つ、（ｉｉ）前記第１の走査と前記第２の走査それぞれにおける前記第２の種類のインクの吐出量の差分が、前記第１の走査と前記第２の走査それぞれにおける前記第１の種類のインクの吐出量の差分よりも小さくなるように、記録動作を制御することを特徴とする記録装置。
【請求項２】
前記制御手段は、前記第１の走査における前記第２の種類のインクの吐出量と、前記第２の走査における前記第２の種類のインクの吐出量と、が互いにほぼ同じとなるように、記録動作を制御することを特徴とする請求項１に記載の記録装置。
【請求項３】
前記記録ヘッドは、前記第１の種類のインクを吐出する複数の吐出口が所定方向に配列された第１の吐出口列と、前記第２の種類のインクを吐出する複数の吐出口が前記所定方向に配列された第２の吐出口列と、が少なくとも配置され、
前記第１の走査は、前記所定方向と交差する第１の方向に行われる走査であって、
前記第２の走査は、前記第１の方向の反対の第２の方向に行われる走査であって、
前記第１の吐出口列は、前記第２の吐出口列よりも前記第１の方向側に配置されていることを特徴とする請求項１または２に記載の記録装置。
【請求項４】
前記第２の走査は、前記第１の走査の次に行われることを特徴とする請求項３に記載の記録装置。
【請求項５】
前記制御手段による走査を行っていない状態で、前記記録媒体を前記第１の方向および第２の方向と交差する搬送方向に沿って搬送する搬送手段を更に有することを特徴とする請求項４に記載の記録装置。
【請求項６】
前記搬送手段は、前記記録媒体上の前記単位領域と前記搬送方向に隣接する第２の単位領域に対して少なくとも前記第１の走査と第３の走査を行いながら前記複数の種類のインクが吐出されるように、前記記録媒体を搬送し、
前記第３の走査は、前記第２の走査の後に行われ、前記第２の種類のインク、前記第１の種類のインクの順に前記複数の種類のインクが吐出される走査であることを特徴とする請求項５に記載の記録装置。
【請求項７】
前記搬送手段は、前記第１の走査が行われた後に前記記録媒体を前記搬送方向における上流側に第１の搬送量だけ搬送し、且つ、前記第２の走査が行われた後に前記記録媒体を前記搬送方向における下流側に前記第１の搬送量よりも多い第２の搬送量だけ搬送することを特徴とする請求項６に記載の記録装置。
【請求項８】
前記制御手段は、前記第２の単位領域に対し、前記第３の走査における前記第１の種類のインクの吐出量が、前記第１の走査における前記第１の種類のインクの吐出量よりも少なくなるように、記録動作を制御することを特徴とする請求項６または７に記載の記録装置。
【請求項９】
前記制御手段は、前記単位領域と前記第２の単位領域に対し、前記第２の走査における前記第１の種類のインクの吐出量が、前記第３の走査における前記第１の種類のインクの吐出量よりも少なくなるように、記録動作を制御することを特徴とする請求項８に記載の記録装置。
【請求項１０】
前記第１の種類のインクによって前記単位領域に記録する画像に対応する第１の多値データと、前記第２の種類のインクによって前記単位領域に記録する画像に対応する第２の多値データと、を取得する取得手段と、
前記第１の多値データを量子化することで第１の２値データを生成し、前記第２の多値データを量子化することで第２の２値データを生成する生成手段と、
前記第１の２値データと前記第２の２値データのそれぞれを前記第１の走査と前記第２の走査に分配する分配手段と、を更に有し、
前記制御手段は、前記分配手段によって分配された前記第１の２値データと前記第２の２値データにしたがって前記第１の種類のインクと前記第２の種類のインクを吐出するように、記録動作を制御することを特徴とする請求項１から９のいずれか１項に記載の記録装置。
【請求項１１】
前記第１の種類のインクの所定時間における動的表面張力は、５０〜６５［ｍＮ／ｍ］であり、
前記第２の種類のインクの前記所定時間における動的表面張力は、３０〜４５［ｍＮ／ｍ］であることを特徴とする請求項１から１０のいずれか１項に記載の記録装置。
【請求項１２】
前記所定時間は、１０［ｍｓｅｃ］であることを特徴とする請求項１１に記載の記録装置。
【請求項１３】
前記第１の種類のインクの静的表面張力は、３５〜５０［ｍＮ／ｍ］であり、
前記第２の種類のインクの静的表面張力は、２０〜３５［ｍＮ／ｍ］であることを特徴とする請求項１から１２のいずれか１項に記載の記録装置。
【請求項１４】
前記第１の種類のインクと前記第２の種類のインクは、それぞれ顔料を含有するインクであることを特徴とする請求項１から１３のいずれか１項に記載の記録装置。
【請求項１５】
前記第１の種類のインクは、前記第２の種類のインクよりも前記記録媒体に対する浸透性が低いことを特徴とする請求項１から１４のいずれか１項に記載の記録装置。
【請求項１６】
前記第１の種類のインクは、ブラックインクであって、
前記第２の種類のインクは、イエローインクであることを特徴とする請求項１から１５のいずれか１項に記載の記録装置。
【請求項１７】
第１の種類のインクと、前記第１の種類と異なる第２の種類のインクと、を少なくとも含む複数の種類のインクを吐出する記録ヘッドと、
前記記録ヘッドを記録媒体上の単位領域に対して少なくとも第１の走査と第２の走査を行い、前記記録ヘッドから前記複数の種類のインクを吐出するように記録動作を制御する制御手段と、を有する記録装置であって、
前記第１の種類のインクの所定時間における動的表面張力は、５０〜６５［ｍＮ／ｍ］であり、
前記第２の種類のインクの前記所定時間における動的表面張力は、３０〜４５［ｍＮ／ｍ］であり、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記制御手段は、前記単位領域に対し、前記第２の走査における前記第１の種類のインクの吐出量が前記第１の走査における前記第１の種類のインクの吐出量よりも少なくなるように、記録動作を制御することを特徴とする記録装置。
【請求項１８】
第１の種類のインクと、前記第１の種類と異なる第２の種類のインクと、を少なくとも含む複数の種類のインクを吐出する記録ヘッドと、
前記記録ヘッドを記録媒体上の単位領域に対して少なくとも第１の走査と第２の走査を行い、前記記録ヘッドから前記複数の種類のインクを吐出するように記録動作を制御する制御手段と、を有する記録装置であって、
前記第１の種類のインクの静的表面張力は、３５〜５０［ｍＮ／ｍ］であり、
前記第２の種類のインクの静的表面張力は、２０〜３５［ｍＮ／ｍ］であり、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記制御手段は、前記単位領域に対し、前記第２の走査における前記第１の種類のインクの吐出量が前記第１の走査における前記第１の種類のインクの吐出量よりも少なくなるように、記録動作を制御することを特徴とする記録装置。
【請求項１９】
前記制御手段は、前記第１の走査と前記第２の走査それぞれにおける前記第２の種類のインクの吐出量の差分が、前記第１の走査と前記第２の走査それぞれにおける前記第１の種類のインクの吐出量の差分よりも小さくなるように、記録動作を制御することを特徴とする請求項１８に記載の記録装置。
【請求項２０】
前記制御手段は、前記第１の走査における前記第２の種類のインクの吐出量と、前記第２の走査における前記第２の種類のインクの吐出量と、が互いにほぼ同じとなるように、記録動作を制御することを特徴とする請求項１９に記載の記録装置。
【請求項２１】
第１の種類のインクと、前記第１の種類と異なる第２の種類のインクと、を少なくとも含む複数の種類のインクを吐出する記録ヘッドを用いて記録を行う記録方法であって、
前記記録ヘッドを記録媒体上の単位領域に対して少なくとも第１の走査と第２の走査を行い、前記記録ヘッドから前記複数の種類のインクを吐出する記録工程を有し、
前記第１の種類のインクの表面張力は、前記第２の種類のインクの表面張力よりも大きく、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記記録工程において、前記単位領域に対し、（ｉ）前記第２の走査における前記第１の種類のインクの吐出量が前記第１の走査における前記第１の種類のインクの吐出量よりも少なくなり、且つ、（ｉｉ）前記第１の走査と前記第２の走査それぞれにおける前記第２の種類のインクの吐出量の差分が、前記第１の走査と前記第２の走査それぞれにおける前記第１の種類のインクの吐出量の差分よりも小さくなるように、前記複数の種類のインクを吐出することを特徴とする記録方法。
【請求項２２】
第１の種類のインクと、前記第１の種類と異なる第２の種類のインクと、を少なくとも含む複数の種類のインクを吐出する記録ヘッドを用いて記録を行う記録方法であって、
前記記録ヘッドを記録媒体上の単位領域に対して少なくとも第１の走査と第２の走査を行い、前記記録ヘッドから前記複数の種類のインクを吐出する記録工程を有し、
前記第１の種類のインクの所定時間における動的表面張力は、５０〜６５［ｍＮ／ｍ］であり、
前記第２の種類のインクの前記所定時間における動的表面張力は、３０〜４５［ｍＮ／ｍ］であり、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記記録工程において、前記単位領域に対し、前記第２の走査における前記第１の種類のインクの吐出量が前記第１の走査における前記第１の種類のインクの吐出量よりも少なくなるように、前記複数の種類のインクを吐出することを特徴とする記録方法。
【請求項２３】
第１の種類のインクと、前記第１の種類と異なる第２の種類のインクと、を少なくとも含む複数の種類のインクを吐出する記録ヘッドを用いて記録を行う記録方法であって、
前記記録ヘッドを記録媒体上の単位領域に対して少なくとも第１の走査と第２の走査を行い、前記記録ヘッドから前記複数の種類のインクを吐出する記録工程を有し、
前記第１の種類のインクの静的表面張力は、３５〜５０［ｍＮ／ｍ］であり、
前記第２の種類のインクの静的表面張力は、２０〜３５［ｍＮ／ｍ］であり、
前記第１の走査は、前記第１の種類のインク、前記第２の種類のインクの順に前記複数の種類のインクが吐出される走査であって、
前記第２の走査は、前記第２の種類のインク、前記第１の種類のインクの順に前記複数の種類のインクが吐出される走査であって、
前記記録工程において、前記単位領域に対し、前記第２の走査における前記第１の種類のインクの吐出量が前記第１の走査における前記第１の種類のインクの吐出量よりも少なくなるように、前記複数の種類のインクを吐出することを特徴とする記録方法。
【発明の詳細な説明】
【技術分野】
【０００１】
本発明は、記録装置および記録方法に関する。
【背景技術】
【０００２】
インクを吐出する記録ヘッドを記録媒体の単位領域に対して走査方向に相対的に走査させながらインクの吐出することにより、単位領域に画像を記録する記録装置が知られている。このような記録装置において、単位領域に対する複数回の記録走査を行うことによって画像を形成する、いわゆるマルチパス記録が知られている。
【０００３】
このような記録装置では、表面張力が互いに異なる複数の種類のインクを用いることが知られている。例えば、特許文献１では、明度が低いインクの表面張力が明度の高いインクの表面張力より０．１以上７．０以下だけ高いインクを用いることが開示されている。同文献によれば、複数種類のインク間での滲み（ブリーディング）の少ない画像を記録することが可能となると記載されている。
【先行技術文献】
【特許文献】
【０００４】
【特許文献１】特開２０１１−２４０６５９号公報
【発明の概要】
【発明が解決しようとする課題】
【０００５】
しかしながら、表面張力が異なるインクを用いる場合、１回の走査内で記録媒体上に対して表面張力が低いインクが表面張力が高いインクよりも先に付与されると、表面張力が高いインクが先に付与された表面張力が低いインク滴に引き寄せられ、記録媒体に対するインクの被覆率が低下してしまうことがわかった。このような引き寄せが発生すると、画像中に記録媒体の表面が多く露出し、この表面色の影響によって画質が低下してしまう虞がある。
【０００６】
本発明は上記の課題を鑑みて為されたものであり、表面張力の異なるインクを用いる場合において、記録媒体の表面色の影響による画質低下を抑制した記録を行うことを目的とするものである。
【課題を解決するための手段】
【０００７】
そこで、本発明は、第１の種類のインクと、前記第１の種類と異なる第２の種類のインクと、を少なくとも含む複数の種類のインクを吐出する記録ヘッドと、前記記録ヘッドを記録媒体上の単位領域に対して少なくとも第１の走査と第２の走査を行い、前記記録ヘッドから前記複数の種類のインクを吐出するように記録動作を制御する制御手段と、を有する記録装置であって、前記第１の種類のインクの表面張力は、前記第２の種類のインクの表面張力よりも大きく、前記第１の走査は、前記第１の種類のインク、前記第２の種類のインクの順に前記複数の種類のインクが吐出される走査であって、前記第２の走査は、前記第２の種類のインク、前記第１の種類のインクの順に前記複数の種類のインクが吐出される走査であって、前記制御手段は、前記単位領域に対し、（ｉ）前記第２の走査における前記第１の種類のインクの吐出量が前記第１の走査における前記第１の種類のインクの吐出量よりも少なくなり、且つ、（ｉｉ）前記第１の走査と前記第２の走査それぞれにおける前記第２の種類のインクの吐出量の差分が、前記第１の走査と前記第２の走査それぞれにおける前記第１の種類のインクの吐出量の差分よりも小さくなるように、記録動作を制御することを特徴とする。
【発明の効果】
【０００８】
本発明に係る記録装置によれば、表面張力の異なるインクを用いる場合において、記録媒体の表面色の影響による画質低下を抑制した記録を行うことが可能となる。
【図面の簡単な説明】
【０００９】
【図１】実施形態で適用する記録装置の斜視図である。
【図２】実施形態で適用する記録ヘッドの模式図である。
【図３】実施形態における記録制御系を示す模式図である。
【図４】実施形態におけるマルチパス記録を説明するための図である。
【図５】実施形態における画像処理の過程を示すフローチャートである。
【図６】一般的なインデックスパターンを示す模式図である。
【図７】実施形態における間引きパターンを示す模式図である。
【図８】付与順序の違いによる引き寄せの程度を説明するための図である。
【図９】実施形態におけるインデックスパターン群を示す模式図である。
【図１０】実施形態におけるインデックスパターンを示す模式図である。
【図１１】生成される記録データの一例を説明するための図である。
【図１２】実施形態におけるインデックスパターンを示す模式図である。
【図１３】生成される記録データの一例を説明するための図である。
【図１４】実施形態における画像処理の過程を示すフローチャートである。
【図１５】実施形態におけるマスクパターンを示す模式図である。
【発明を実施するための形態】
【００１０】
以下に図面を参照し、本発明の実施形態について詳細に説明する。
【００１１】
（第１の実施形態）
図１は本実施形態に係るインクジェット記録装置（以下、記録装置、プリンタとも称する）の外観を示している。これはいわゆるシリアル走査型のプリンタであり、記録媒体ＰのＹ方向（搬送方向、所定方向）に対して直交するＸ方向（走査方向、交差方向）に記録ヘッドを走査して画像を記録するものである。
【００１２】
図１を用いてこのインクジェット記録装置の構成および記録時の動作の概略を説明する。まず不図示の搬送モータによりギヤを介して駆動される搬送ローラによって記録媒体Ｐを保持しているスプール６より記録媒体ＰがＹ方向に搬送される。一方、所定の搬送位置において不図示のキャリッジモータによりキャリッジユニット２をＸ方向に延在するガイドシャフト８に沿って往方向および往方向と反対の方向である復方向に走査（往復走査）させる。そして、この走査の過程で、エンコーダ７によって得られる位置信号に基づいたタイミングでキャリッジユニット２に装着可能な記録ヘッド（後述）の吐出口から吐出動作を行わせ、吐出口の配列範囲に対応した一定のバンド幅を記録する。本実施形態においては、走査速度４０インチ毎秒で走査し、６００ｄｐｉ（１／６００ｉｎｃｈ）の解像度で吐出動作を行う構成とした。その後、記録媒体Ｐの搬送を行い、さらに次のバンド幅について記録を行う構成となっている。さらに４０インチ毎秒以上の速度で走査することもできる。
【００１３】
なお、キャリッジモータからキャリッジユニット２への駆動力の伝達には、キャリッジベルトを用いることができる。しかしキャリッジベルトの代わりに、例えばキャリッジモータにより回転駆動され、Ｘ方向に延在するリードスクリュと、キャリッジユニット２に設けられ、リードスクリュの溝に係合する係合部とを具えたものなど、他の駆動方式を用いることも可能である。
【００１４】
送給された記録媒体Ｐは、給紙ローラとピンチローラとに挟持搬送されて、プラテン４上の記録位置（記録ヘッドの走査領域）に導かれる。通常休止状態では記録ヘッドのフェイス面にはキャッピングが施されているため、記録に先立ってキャップを開放して記録ヘッドないしキャリッジユニット２を走査可能状態にする。その後、１走査分のデータがバッファに蓄積されたらキャッリッジモータによりキャリッジユニット２を走査させ、上述のように記録を行う。
【００１５】
ここで、本実施形態の記録装置では、記録ヘッドの複数回（ｎ回）の走査で記録媒体Ｐ上の単位領域（１／ｎバンド）に対して画像を記録する、いわゆるマルチパス記録を行うことができる。このマルチパス記録については、後に詳細に説明する。
【００１６】
図２は本実施形態に係る記録ヘッド９を示している。記録ヘッド９は、有彩色インクであるイエローインク（Ｙ）を吐出する吐出口列２２Ｙ、マゼンタインク（Ｍ）を吐出する吐出口列２２Ｍ、シアンインク（Ｃ）を吐出する吐出口列２２Ｃを備えている。さらに、無彩色インクである低浸透ブラックインク（Ｋ２）を吐出する吐出口列２２Ｋ２ａ、高浸透ブラックインク（Ｋ１）を吐出する吐出口列２２Ｋ１、低浸透ブラックインク（Ｋ２）を吐出する吐出口列２２Ｋ２ｂを備えている。記録ヘッド９には、これらの吐出口列がＸ方向左側から右側に吐出口列２２Ｙ、吐出口列２２Ｍ、吐出口列２２Ｃ、吐出口列２２Ｋ２ａ、吐出口列２２Ｋ１、吐出口列２２Ｋ２ｂの順で並んで配置されている。なお、ここではブラックインクを吐出する吐出口列を３つ（２２Ｋ１、２２Ｋ２ａ、２２Ｋ２ｂ）有する形態について記載しているが、特に記載がない限り、以降の説明ではブラックインクを吐出する場合には低浸透ブラックインクの吐出口列２２Ｋ２ａのみを吐出するとして記載する。
【００１７】
なお、吐出口列２２Ｋ２ａと吐出口列２２Ｋｂから吐出される低浸透ブラックインク（Ｋ２）は同じ種類のものである。また、高浸透ブラックインク（Ｋ１）と低浸透ブラックインク（Ｋ２）は略同一の色相を有する同系色のインクである。また、低浸透ブラックインク（Ｋ２）は高浸透ブラックインク（Ｋ１）よりも高い表面張力を有している。
【００１８】
これらの吐出口列２２Ｙ、２２Ｍ、２２Ｃ、２２Ｋ２ａ、２２Ｋ１、２２Ｋ２ｂのそれぞれは、インクを吐出する１２８０個の吐出口３０が１２００ｄｐｉの密度でＹ方向（配列方向）に配列されることで構成されている。なお、本実施形態における一つの吐出口３０から一度に吐出されるインクの吐出量は約４．５ｐｌである。
【００１９】
これらの吐出口列２２Ｙ、２２Ｍ、２２Ｃ、２２Ｋ２ａ、２２Ｋ１、２２Ｋ２ｂは、それぞれ対応するインクを貯蔵する不図示のインクタンクに接続され、インクの供給が行われる。なお、本実施形態にて用いる記録ヘッド９とインクタンクは一体的に構成されるものでも良いし、それぞれが分離可能な構成のものでも良い。
【００２０】
なお、本実施形態で用いるイエローインク（Ｙ）、マゼンタインク（Ｍ）、シアンインク（Ｃ）、高浸透ブラックインク（Ｋ１）、低浸透ブラックインク（Ｋ２）それぞれの詳細な組成については後述する。
【００２１】
図３は、本実施形態における記録装置１００内の制御系の概略構成を示すブロック図である。主制御部３００は、演算、選択、判別、制御などの処理動作、記録動作を実行するＣＰＵ３０１と、ＣＰＵ３０１によって実行すべき制御プログラム等を格納するＲＯＭ３０２と、記録データのバッファ等として用いられるＲＡＭ３０３、および入出力ポート３０４等を備えている。メモリ３１３には、後述する画像データやマスクパターン部分、量子化パターン、エッジデータ／非エッジデータ分割パターン等が格納されている。そして、入出力ポート３０４には、搬送モータ（ＬＦモータ）３０９、キャリッジモータ（ＣＲモータ）３１０、記録ヘッド９及び切断ユニットにおけるアクチュエータなどの各駆動回路３０５、３０６、３０７が接続されている。さらに、主制御部３００はインターフェイス回路３１１を介してホストコンピュータであるＰＣ３１２に接続されている。
【００２２】
（マルチパス記録方式）
図４は本実施形態で実行するマルチパス記録方式を説明するための模式図である。なお、図４では簡単のため、記録ヘッド９のうちのＹ方向上流側の半分を記録ヘッド部分９ａ、Ｙ方向下流側の半分を記録ヘッド部分９ｂと称する。また、記録媒体ＰにはＹ方向上流側から単位領域Ａ、Ｂ、Ｃ、Ｄが並んでいるものとする。また、ここでは１〜４走査目として記載しているが、実際にはそれよりも前、および後にも記録は行われており、図４に示す１走査目よりも前に単位領域Ｄには１回記録が行われている。
【００２３】
本実施形態では、Ｙ方向に沿った順方向と逆方向に記録媒体を交互に搬送しながら、記録媒体上の各単位領域に対して２回の走査によって記録を行う。
【００２４】
まず、１回目の走査（往方向）では、記録ヘッド部分９ａから単位領域Ｂに対して、記録ヘッド部分９ｂから単位領域Ｃに対して、記録がそれぞれ行われる。この走査は、単位領域Ｂ、Ｃそれぞれに対して１回目の走査になる。この走査の後、記録媒体ＰはＹ方向に沿った逆方向に距離Ｌ（記録ヘッド長さの半分）だけ搬送される。
【００２５】
次に、２回目の走査（復方向）では、記録ヘッド部分９ａから単位領域Ｃに対して、記録ヘッド部分９ｂから単位領域Ｄに対して、記録がそれぞれ行われる。単位領域Ｃには１回目の走査で記録が行われているため、この２回目の走査で記録が完了することになる。また、上述のように１回目の走査よりも前に１回走査が行われているため、この２回目の走査で記録が完了する。この走査の後、記録媒体ＰはＹ方向に沿った順方向に距離３×Ｌだけ搬送される。
【００２６】
次に、３回目の走査（往方向）では、記録ヘッド部分９ｂから単位領域Ａに対して記録が行われる。この走査は、単位領域Ａに対しては１回目の走査になる。この走査の後、記録媒体ＰはＹ方向に沿った逆方向に距離Ｌだけ搬送される。
【００２７】
そして、４回目の走査（復方向）では、記録ヘッド部分９ａから単位領域Ａに対して、記録ヘッド部分９ｂから単位領域Ｂに対して、記録がそれぞれ行われる。単位領域Ａには３回目の走査で記録が行われているため、この４回目の走査で記録が完了することになる。また、単位領域Ｂには１回目の走査で記録が行われているため、この４回目の走査で記録が完了することになる。
【００２８】
このように、図４に示すマルチパス記録方式によれば、各単位領域Ａ〜Ｄに対して２回の走査で記録を行うことができる。
【００２９】
更に、図４に示すマルチパス記録方式では、各単位領域Ａ〜Ｄに対する各色のインクの付与順序を揃えることができる。
【００３０】
図２に示す記録ヘッドを用いると、往方向への走査時にはブラック、シアン、マゼンタ、イエローの順に、復方向への走査時にはイエロー、マゼンタ、シアン、ブラックの順にインクが付与される。ここで、ある単位領域には往走査、復走査の順に、他の単位領域には復走査、往走査の順にインクを付与すると、ある単位領域にはブラック、シアン、マゼンタ、イエロー、イエロー、マゼンタ、シアン、ブラックの順番で、他の単位領域にはイエロー、マゼンタ、シアン、ブラック、ブラック、シアン、マゼンタ、イエローの順番でインクが付与されることになる。画像の色はインクの付与順序によって変わるため、このように単位領域ごとに各色のインクの付与順序が異なると、単位領域間で色ずれが生じてしまう。
【００３１】
これに対し、本実施形態におけるマルチパス記録方式では、単位領域Ｂには１回目の走査（往方向）、４回目の走査（復方向）で、単位領域Ｃには１回目の走査（往方向）、２回目の走査（復方向）で、単位領域Ａには３回目の走査（往方向）、４回目の走査（復方向）で、それぞれ記録することになる。つまり、各単位領域に対して往走査、復走査の順番でインクを付与することができるため、上記の単位領域間の色ずれが発生しないのである。
【００３２】
（データの処理過程）
図５は本実施形態における制御プログラムにしたがってＣＰＵが実行する、記録に用いられる記録データ生成処理のフローチャートである。
【００３３】
まず、ステップＳ１にて記録装置１００はホストコンピュータであるＰＣ３１２から入力されたＲＧＢ形式の画像データを取得する。
【００３４】
次に、ステップＳ２では、ＲＧＢ形式の画像データを記録に用いるインクの色（ＣＭＹＫ）に対応する多値データに変換する色変換処理を行う。この色変換処理により、複数の画素からなる画素群それぞれにおけるＣＭＹＫ各インクの階調を定める２５６値の情報によって表される多値データが生成される。
【００３５】
次に、ステップＳ３では多値データを量子化する量子化処理を行う。この量子化処理により、２画素×２画素からなる画素群における５値の情報により表される量子化データが生成される。なお、この量子化の方法としては、ディザ処理や誤差拡散処理等、種々の方法を適用することができる。
【００３６】
次に、ステップＳ４では量子化データに対してインデックスパターンを用い、各画素に対するインクを吐出または非吐出を定める２値データを生成するインデックス展開処理を行う。本実施形態で行うインデックス展開処理の詳細については後に詳述するが、一般的なインデックス展開処理について以下に記載する。
【００３７】
インデックスパターンとは、量子化データの値に応じてインクを吐出する数と位置を定めるパターンである。図６に一般的なインデックスパターンの一例を示す。なお、黒く塗りつぶされた画素がインクの吐出を定める画素を、白抜きで示された画素がインクの非吐出を定める画素をそれぞれ示している。
【００３８】
図６に示すように、量子化データの値はレベル０の場合には、２画素×２画素からなる画素群内のいずれの画素にもインクを吐出しない。次に、量子化データの値がレベル１の場合、左上の１つの画素にだけインクを吐出する。そして、量子化データの値がレベル２の場合には左上の画素に加えて右下の１つの画素にもインクを吐出し、合計で２つの画素にインクを吐出する。以下、同様にして、量子化データの値がレベル３となれば右上の画素に、レベル４となれば左下の画素に対して更にインクを吐出する。
【００３９】
図６からわかるように、インデックスパターンでは、量子化データの値が大きくなるにしたがってインクの吐出を定める画素の数が増えるように定められている。したがって、インデックス展開処理の前後でデータが示すインクの吐出量は変わらない。
【００４０】
そして、ステップＳ５でインデックス展開処理後の２値データを単位領域に対して行う複数回の走査に分配し、１回の走査当たりに割り当てられる２値データを各カラム（画素列）ごとに間引く間引き処理が行われる。本実施形態では上述のように各単位領域に対して２回の走査で記録を行うが、この２回の走査のうち、最初の走査に奇数カラムに対応する２値データを、次の走査に偶数カラムに対応する２値データをそれぞれ分配する。例えば、図４に示す単位領域Ｃでは、上述のように１、２走査目で記録を行うため、奇数カラムの２値データを１走査目に、偶数カラムのデータを２走査目に分配する。また、単位領域Ｂでは、上述のように１、４走査目で記録を行うため、奇数カラムの２値データを１走査目に、偶数カラムのデータを４走査目に分配する。
【００４１】
なお、以降の説明では簡単のため、特に記載のない限り単位領域Ｃに記録を行う場合について記載するため、２回の走査のうちの最初の走査を１走査目、次の走査を２走査目として説明する。
【００４２】
図７は本実施形態における間引き処理で用いる間引きパターンを示す模式図である。なお、図７（ａ）は１走査目に、図７（ｂ）は２走査目にそれぞれ対応する間引きパターンを示している。なお、黒く塗りつぶされた画素が２値データによってインクの吐出が定められている場合に吐出を許容する画素を、白抜きで示された画素が２値データによってインクの吐出が定められている場合であっても吐出を許容しない画素をそれぞれ示している。
【００４３】
図７（ａ）に示すように、１走査目に対応する間引きパターンでは左から１列目、３列目に位置するカラムにおいてのみ吐出の許容が定められている。したがって、１走査目には２値データのうちの１、３列目（奇数カラム）に位置するデータのみが分配されることになる。同様に、２走査目に対応する間引きパターンでは左から２、４列目に位置するカラムで吐出の許容が定められているため、２走査目には２、４列目（偶数カラム）に位置する２値データのみが分配される。
【００４４】
上述したような間引き処理を行った場合、１回の走査において走査方向に連続したカラムに対して吐出することがなくなる。そのため、記録装置における記録素子の駆動周波数がそれ程高くなくとも、高精細な画像を記録することが可能となる。
【００４５】
なお、以上ではＳ１〜Ｓ５の処理のすべてを記録装置１００内のＣＰＵ３０１が実行する形態について記載したが、他の形態による実施も可能である。例えば、Ｓ１〜Ｓ５の処理のすべてをＰＣ３１２が実行する形態であっても良い。また、例えば色変換処理（Ｓ２）までをＰＣ３１２が、量子化処理（Ｓ３）以降を記録装置１００が実行する形態であっても良い。
【００４６】
（インクの組成）
次に、本実施形態で用いるインクの組成について説明する。以下、「部」および「％」とあるのは、特に断りのない限り、質量基準である。
【００４７】
・高浸透ブラックインク（Ｋ１）の作製
（１）分散液の作製
まず、アニオン系高分子Ｐ−１［スチレン／ブチルアクリレート／アクリル酸共重合体（重合比（重量比）＝３０／４０／３０）酸価２０２、重量平均分子量６５００］を準備する。これを、水酸化カリウム水溶液で中和し、イオン交換水で希釈して均質な１０質量％ポリマー水溶液を作製する。
【００４８】
そして、上記ポリマー溶液を６００ｇ、カーボンブラックを１００ｇおよびイオン交換水を３００ｇ混合し、機械的に所定時間撹拌した後、遠心分離処理によって、粗大粒子を含有する非分散物を除去してブラック分散液とする。得られたブラック分散液は、その顔料濃度が１０質量％であった。
【００４９】
（２）インクの作製
インクの作製は、上記ブラック分散液を使用する。上記ブラック分散液に以下の成分を加えて、十分に混合撹拌した後、ポアサイズ２．５μｍのミクロフィルター（富士フイルム製）にて加圧濾過し、顔料濃度５質量％の顔料インクを調製する。このように、本実施形態で用いる高浸透ブラックインクＫ１を作製した。
上記ブラック分散液                                                    ５０部
グリセリン                                                            １０部
トリエチレングリコール                                                １０部
アセチレングリコールＥＯ付加物（川研ファインケミカル株式会社製）    １．０部
イオン交換水                                                            残部
【００５０】
・低浸透ブラックインク（Ｋ２）の作製
高浸透ブラックインクにて作製した上記ブラック分散液を使用する。上記ブラック分散液に以下の成分を加えて、十分に混合撹拌した後、アサイズ２．５μｍのミクロフィルター（富士フイルム製）にて加圧濾過し、顔料濃度３質量％の顔料インクを調製する。このように、本実施形態で用いる低浸透ブラックインクを作製した。
上記ブラック分散液                                                    ３０部
グリセリン                                                            １０部
トリエチレングリコール                                                １０部
２−ピロリドン                                                          ５部
アセチレングリコールＥＯ付加物（川研ファインケミカル株式会社製）    ０．１部
イオン交換水                                                            残部
【００５１】
・シアンインク（Ｃ）の作製
（１）分散液の作製
まず、ベンジルアクリレートとメタクリル酸とを原料として、常法により、酸価２５０、数平均分子量３０００のＡＢ型ブロックポリマーを作り、水酸化カリウム水溶液で中和し、イオン交換水で希釈して均質な５０質量％ポリマー水溶液を作製する。
【００５２】
上記ポリマー溶液を２００ｇ、Ｃ．Ｉ．ピグメントブルー１５：３を１００ｇおよびイオン交換水を７００ｇ混合し、機械的に所定時間撹拌した後、遠心分離処理によって、粗大粒子を含む非分散物を除去してシアン分散液とする。得られたシアン分散液は、その顔料濃度が１０質量％であった。
【００５３】
（２）インクの作製
インクの作製は、上記シアン分散液を使用する。上記シアン分散液に以下の成分を加えて、十分に混合撹拌した後、ポアサイズ２．５μｍのミクロフィルター（富士フイルム製）にて加圧濾過し、顔料濃度２質量％の顔料インクを調製する。このように、本実施形態で用いるシアンインクを作製した。
上記シアン分散液                                                      ２０部
グリセリン                                                            １０部
ジエチレングリコール                                                  １０部
２−ピロリドン                                                          ５部
アセチレングリコールＥＯ付加物（川研ファインケミカル株式会社製）    １．０部
イオン交換水                                                            残部
【００５４】
・マゼンタインク（Ｍ）の作製
（１）分散液の作製
まず、ベンジルアクリレートとメタクリル酸とを原料として、常法により、酸価３００、数平均分子量２５００のＡＢ型ブロックポリマーを作り、水酸化カリウム水溶液で中和し、イオン交換水で希釈して均質な５０質量％ポリマー水溶液を作製する。
【００５５】
上記ポリマー溶液を１００ｇ、Ｃ．Ｉ．ピグメントレッド１２２を１００ｇおよびイオン交換水を８００ｇ混合し、機械的に所定時間撹拌した後、遠心分離処理によって、粗大粒子を含む非分散物を除去してマゼンタ分散液とする。得られたマゼンタ分散液は、その顔料濃度が１０質量％であった。
【００５６】
（２）インクの作製
インクの作製は、上記マゼンタ分散液を使用する。上記マゼンタ分散液に以下の成分を加えて、十分に混合撹拌した後、ポアサイズ２．５μｍのミクロフィルター（富士フイルム製）にて加圧濾過し、顔料濃度４質量％の顔料インクを調製する。このように、本実施形態で用いるマゼンタインクを作製した。
上記マゼンタ分散液                                                  ４０部
グリセリン                                                          １０部
ジエチレングリコール                                                １０部
２−ピロリドン                                                        ５部
アセチレングリコールＥＯ付加物（川研ファインケミカル株式会社製）  １．０部
イオン交換水                                                          残部
【００５７】
・イエローインク（Ｙ）の作製
（１）分散液の作製
まず、前記アニオン系高分子Ｐ−１を、水酸化カリウム水溶液で中和し、イオン交換水で希釈して均質な１０質量％ポリマー水溶液を作製する。
【００５８】
上記ポリマー溶液を３００ｇ、Ｃ．Ｉ．ピグメントイエロー７４を１００ｇおよびイオン交換水を６００ｇ混合し、機械的に所定時間攪拌した後、遠心分離処理によって粗大粒子を含む非分散物を除去してイエロー分散液とする。得られたイエロー分散液は、その顔料濃度が１０質量％であった。
【００５９】
（２）インクの作製
以下の成分を混合し、十分に攪拌して溶解・分散後、ポアサイズ１．０μｍのミクロフィルター（富士フィルム製）にて加圧濾過して、顔料濃度４質量％の顔料インクを調製する。このように、本実施形態で用いるイエローインクを作製した。
上記イエロー分散液                                                    ４０部
グリセリン                                                              ９部
エチレングリコール                                                    １０部
２−ピロリドン                                                          ５部
アセチレングリコールＥＯ付加物（川研ファインケミカル株式会社製）    １．０部
イオン交換水                                                            残部
【００６０】
（インクの表面張力）
上記した本実施形態で用いる各色のインクは、低浸透ブラックインク（Ｋ２）の表面張力が、高浸透ブラックインク（Ｋ１）、シアンインク（Ｃ）、マゼンタインク（Ｍ）、イエローインク（Ｙ）の表面張力よりも高くなるように作製されている。このとき、静的表面張力、動的表面張力の両方において上述の大小関係を満たしている。
【００６１】
静的表面張力については、インクの温度を２５℃に調整した後、自動表面張力計ＣＢＶＰ−Ｚ（協和界面科学株式会社製）を用いて行う。
【００６２】
一方、動的表面張力については、液体中で空気泡を形成し内部の圧力変化を測定する最大泡圧法を採用することによって測定することができる。測定装置としては、ＫＲＵＳＳ製のＢｕｂｂｌｅ  Ｐｒｅｓｓｕｒｅ  Ｔｅｓｉｏｍｅｔｅｒ  型式：ＢＰ２等を用いることができる。また、動的表面張力は、一般的に界面形成時間（インクが被記録媒体上に着滴した瞬間からの経過時間）が経過するにつれ、徐々に下降しながら静的表面張力の値に安定してゆく。本実施形態では、記録媒体が普通紙の場合において、インクの温度が２５℃であり、界面形成時間が１０［ｍｓｅｃ］である際の動的表面張力を測定した。
【００６３】
（表１）に上記の各色のインクの静的表面張力および動的表面張力の測定結果を記載する。
【００６４】
【表１】
2018140536.tif 000003
【００６５】
（表１）に記載したように、本実施形態で用いる各色のインクは、静的表面張力、動的表面張力ともに、低浸透ブラックインクが他のインクに比べて高くなっていることがわかる。
【００６６】
以下、本実施形態における各インクの表面張力の設定について説明する。
【００６７】
本実施形態におけるカラーインク（シアンインク、マゼンタインク、イエローインク）は、記録画像の発色均一性を鑑みて表面張力を比較的小さくしている。表面張力が小さい方が記録媒体上に付与されたインク滴のサイズが大きくなる（記録媒体上に濡れ広がる）ため、記録画像において記録媒体の表面が露出しにくいためである。
【００６８】
ブラックインクについても、発色均一性の観点からは、カラーインクと同様に表面張力が小さい方が好ましい。但し、ブラックは記録画像中の文字や細線部に使用されることが多いため、発色均一性よりも色濃度を重視した方が良い場合もある。特に記録媒体が浸透性の高い記録媒体である場合、表面張力が小さい（浸透性が高い）ブラックインクを用いると、ブラックインクが記録媒体中に浸透し過ぎてしまい、文字や細線部の色濃度が不十分となってしまう虞がある。
【００６９】
したがって、本実施形態では上記の高浸透ブラックインク（Ｋ１）と低浸透ブラックインク（Ｋ２）の両方を吐出可能な記録ヘッドを用いる。そして、浸透性が低い記録媒体（例えば光沢紙）に記録する場合には色濃度の低下がそれ程生じないため、発色均一性を重視して高浸透ブラックインク（Ｋ１）を用いる。一方、浸透性が高い記録媒体（例えば普通紙）に記録する場合、色濃度を保つために低浸透ブラックインク（Ｋ２）を用いて記録を行う。
【００７０】
なお、上記した発色均一性を十分なものとするためには、高浸透ブラックインク、シアンインク、マゼンタインク、イエローインクの静的表面張力は２０〜３５［ｍＮ／ｍ］が好ましく、２５〜３０［ｍＮ／ｍ］であることが更に好ましい。また、高浸透ブラックインク、シアンインク、マゼンタインク、イエローインクの１０［ｍｓｅｃ］における動的表面張力は、３０〜４５［ｍＮ／ｍ］であることが好ましく、３５〜４０［ｍＮ／ｍ］であることが更に好ましい。
【００７１】
また、ブラックインクの色濃度を低下させないためには、低浸透ブラックインクの静的表面張力は、３５〜５０［ｍＮ／ｍ］が好ましく、３５〜４０［ｍＮ／ｍ］であることが更に好ましい。また、低浸透ブラックインクの１０［ｍｓｅｃ］における動的表面張力は、５０〜６５［ｍＮ／ｍ］であることが好ましく、５５〜６０［ｍＮ／ｍ］であることが更に好ましい。
【００７２】
また、低浸透ブラックインクとイエローインクの１０［ｍｓｅｃ］における動的表面張力の差分が１５［ｍＮ／ｍ］以上であることが好ましい。また、低浸透ブラックインクとイエローインクの静的表面張力の差分が５［ｍＮ／ｍ］以上であることが好ましい。
【００７３】
（表面張力が低いインク（低浸透インク）の引き寄せ）
ここで、発明者らの検討の結果、上記のような高浸透インク（Ｃ、Ｍ、Ｙ、Ｋ１）と低浸透インク（Ｋ２）を記録媒体上の同じ領域に付与すると、インクの付与順序によっては、記録媒体上に付与された高浸透インクに対して低浸透インクが引き寄せられ、記録媒体の表面に対するインクの被覆率が低下してしまう虞があることがわかった。
【００７４】
この推定メカニズムについて説明する。
【００７５】
なお、以降の説明では簡単のため、低浸透インクとして低浸透ブラックインク（Ｋ２）を、高浸透インクとしてイエローインクを用いた場合について記載する。
【００７６】
図８は上記の低浸透インクの引き寄せを説明するための図である。なお、図８（ａ）〜（ｄ）に同一の走査にて低浸透インクを先に、高浸透インクを後に付与した際の様子を、図８（ｅ）〜（ｈ）に同一の走査にて高浸透インクを先に、低浸透インクを後に付与した際の様子をそれぞれ示している。
【００７７】
同一の走査にて高浸透インク、低浸透インクの順に各色のインクを付与する（図８（ｅ））と、後に付与される低浸透インクが記録媒体Ｐ上に着弾する際には、先に付与された高浸透インクは記録媒体Ｐ上の表層には液滴として残存しているものの、記録媒体Ｐへの浸透がある程度進んでいる（図８（ｆ））。そのため、低浸透インクは着弾直後から、ある程度浸透した後の高浸透インクと接触することになる。そして、低浸透インクは記録媒体Ｐに対する親和性が低く浸透が行われるまでに時間がかかるため、低浸透インクは先に付与されていた高浸透インク側に引き寄せられていく（図８（ｇ））。この結果、この低浸透インク滴は本来定着するべきであった位置から高浸透インク滴側に距離ｄだけズレた位置に定着されてしまう（図８（ｈ））。これにより、画像中に露出する記録媒体Ｐの表面が多くなり、この表面色の影響により画質が低下してしまう。また、高浸透インクで記録された領域に対して低浸透インクが流れ込むため、これらのインクが混ざり合ってしまい、均一性の低下もまた発生してしまう虞がある。
【００７８】
一方、同一の走査で低浸透インク、高浸透インクの順に各色のインクを付与する（図８（ａ））と、低浸透インクがある程度記録媒体Ｐに浸透した状態で高浸透インクが付与される（図８（ｂ））。この後、高浸透インクは記録媒体Ｐに対する親和性が高く浸透が早く行われるため、先に付与された低浸透インク側にそれ程引き寄せられることなく定着する（図８（ｃ））。一方で、先に付与された低浸透インクについても、高浸透インクは低浸透インクが記録媒体Ｐ中にある程度浸透した段階で記録媒体Ｐ上に付与されるため、高浸透インク側への引き寄せはそれ程起こらない（図８（ｄ））。この結果、各色のインクの浸透が完了する際には、高浸透インク、低浸透インクともに引き寄せは図８（ｈ）に示す場合に比べて生じておらず、記録媒体Ｐの表面の露出が比較的小さくなる。この結果、同一の走査で高浸透インク、低浸透インクの順に付与した場合に比べて画質を低下した記録を行うことができる。
【００７９】
なお、ここでは同一の走査間での高浸透インク、低浸透インクの付与順序による画質低下について記載した。ここで、異なる走査間においては、高浸透インク、低浸透インクの付与順序が違ったとしても、画像中に露出する記録媒体の表面の面積はそれ程変わらない。これは、高浸透インク、低浸透インクのどちらであっても、ある走査にてインクが付与され、次の走査が開始するまでには記録媒体Ｐへのインクの浸透は既に完了しており、記録媒体Ｐ上に液滴の状態で残存していないためである。例えば、ある走査で高浸透インクを吐出し、その次の走査で低浸透インクを吐出する場合、次の走査が開始されるまでに高浸透インクは記録媒体Ｐに対する定着が完了しているため、次の走査で低浸透インクが付与されたとしても図８（ｇ）に示すような高浸透インク側への引き寄せは生じない。
【００８０】
（本実施形態におけるインクの付与順序）
以上の点を鑑み、本実施形態では、同一の走査ではなるべく低浸透インク、高浸透インクの順序で各色のインクを付与する。
【００８１】
但し、各色のインクの付与順序は走査方向ごとに固定である。本実施形態では図２に示す記録ヘッドを用いるため、Ｘ方向に沿った往方向への走査時には低浸透インク（Ｋ２）、高浸透インク（Ｙ）の付与順序となり、復方向への走査時には高浸透インク（Ｙ）、低浸透インク（Ｋ２）の付与順序となる。すなわち、往方向への走査時に高浸透インク（Ｙ）と低浸透インク（Ｋ２）の両方を吐出する場合には上述の引き寄せは生じにくいが、復方向への走査時に高浸透インク（Ｙ）と低浸透インク（Ｋ２）の両方を吐出すると上述の低浸透インクの引き寄せによる影響が大きくなる。
【００８２】
したがって、本実施形態では、低浸透インク（Ｋ２）については復走査での吐出量が往走査での吐出量よりも少なくなるようにする。これにより、高浸透インク（Ｙ）、低浸透インク（Ｋ２）の順序でインクを吐出することになる復走査において、低浸透インク（Ｋ２）の付与される量自体が少なくなる。そのため、同一走査内で付与された高浸透インク（Ｙ）側への低浸透インク（Ｋ２）の引き寄せを生じにくくすることができる。
【００８３】
また、本実施形態では、高浸透インク（Ｙ）については往走査での吐出量と復走査での吐出量がほぼ同じとなるようにする。上述の引き寄せは低浸透インク（Ｋ２）に生じるのであり、高浸透インク（Ｙ）が低浸透インク（Ｋ２）側に引き寄せられることは殆どない。したがって、高浸透インク（Ｙ）については、ある行（ラスタ）を記録するために複数回の走査で互いに異なる複数の吐出口から分担して記録することにより得られる、吐出口の吐出特性の違いによる画質低下を抑制する効果（以下、マルチパス効果とも称する）を好適に奏するため、往復走査間の吐出量をほぼ同じとするのである。
【００８４】
本実施形態では、ステップＳ４におけるインデックス展開処理によって上述の各色のインクの吐出制御を実行する。
【００８５】
図９、図１０は本実施形態で適用するインデックスパターンを説明するための図である。
【００８６】
本実施形態では、各色のインクに対し、図９（ａ）に示す１６個の画素群ａ０、ａ１、ａ２、ａ３、ｂ０、ｂ１、ｂ２、ｂ３、ｃ０、ｃ１、ｃ２、ｃ３、ｄ０、ｄ１、ｄ２、ｄ３に対し、それぞれ１つのインデックスパターンを割り当てるインデックスパターン群を用いてインデックス展開処理を行う。それぞれのインデックスパターンには、入力される量子化データの値に応じて、２画素×２画素からなる画素群内にインクを吐出する数と位置が定められている。本実施形態では、このインデックスパターンおよびインデックスパターン群を上述した間引きパターンと対応付けて設定することにより、復走査よりも往走査で低浸透インクの吐出量は多く、且つ、往復走査で高浸透インクの吐出量は互いにほぼ等しくなるようにして、各色のインクを吐出する。
【００８７】
図９、図１０を参照しながらより詳細に説明する。なお、ここでは単位領域Ｃに対応する量子化データを処理する場合について説明する。
【００８８】
図９（ｂ）は高浸透インク（Ｙ）に対応する量子化データに適用するインデックスパターン群を示している。図９（ｂ）に示すインデックスパターン群には、４つの画素ａ０、ｂ３、ｃ０、ｄ３にインデックスパターンＩが、４つの画素ａ１、ｂ２、ｃ１、ｄ２にインデックスパターンＩＩが、４つの画素ａ２、ｂ１、ｃ２、ｄ１にインデックスパターンＩＩＩが、４つの画素ａ３、ｂ０、ｃ３、ｄ０にインデックスパターンＩＶが、それぞれ割り当てられている。このように、高浸透インク（Ｙ）に対応するインデックスパターン群には、インデックスパターンＩ、ＩＩ、ＩＩＩ、ＩＶが同じ数ずつ設定されている。
【００８９】
図１０（ａ）は上述したインデックスパターンＩ、ＩＩ、ＩＩＩ、ＩＶの詳細を示す図である。なお、ここでは簡単のため、それぞれのインデックスパターンのうち、量子化データがレベル１、レベル２に対応するものだけを示している。
【００９０】
インデックスパターンＩは、レベル１のときには右下の１つの画素にのみ、レベル２のときには右下、左上の２つの画素にインクの吐出を定めている。
【００９１】
また、インデックスパターンＩＩは、レベル１のときには右上の１つの画素にのみ、レベル２のときには右上、左下の２つの画素にインクの吐出を定めている。
【００９２】
また、インデックスパターンＩＩＩは、レベル１のときには左下の１つの画素にのみ、レベル２のときには左下、右下の２つの画素にインクの吐出を定めている。
【００９３】
また、インデックスパターンＩＶは、レベル１のときには左上の１つの画素にのみ、レベル２のときには左上、右上の２つの画素にインクの吐出を定めている。
【００９４】
ここで、図７を用いて説明したように、ステップＳ５における間引き処理では、量子化データにおいて奇数カラム（奇数列）にインクの吐出が定められている場合には１走査目へ、偶数カラム（偶数列）にインクの吐出が定められている場合には２走査目へと量子化データを分配する。すなわち、インデックス展開処理において２画素×２画素の画素群のうちの左側の２画素にインクの吐出が定められている場合には１走査目（往走査）へ、右側の２画素にインクの吐出が定められている場合には２走査目（復走査）へ、量子化データが分配される。
【００９５】
図１０（ａ）に示すインデックスパターンＩ、ＩＩ、ＩＩＩ、ＩＶのレベル１を見てみると、左上（インデックスパターンＩＶ）と左下（インデックスパターンＩＩＩ）に１回ずつインクの吐出が定められている。したがって、左側の２画素には合計で２回インクの吐出が定められている。一方、右上（インデックスパターンＩＩ）と右下（インデックスパターンＩ）にも１回ずつインクの吐出が定められており、右側の２画素にも合計で２回インクの吐出が定められていることがわかる。つまり、インデックスパターンＩ、ＩＩ、ＩＩＩ、ＩＶのレベル１では、２画素×２画素のうちの左側にインクの吐出が定められた数と右側にインクの吐出が定められた数が同じとなる。更に、図９（ｂ）に示すインデックスパターン群にはインデックスパターンＩ、ＩＩ、ＩＩＩ、ＩＶが同じ数ずつ定められていたことを考えると、インデックスパターン群内で見ると、レベル１においては、奇数カラムに対しインクの吐出を定める画素の数と偶数カラムに対しインクの吐出を定める画素の数が同じとなることがわかる。
【００９６】
ここから、例えば図９（ｂ）に示すインデックスパターン群内の１６個の画素群それぞれにレベル１の量子化データが入力された場合、１走査目、すなわち往走査で高浸透インク（Ｙ）が吐出される画素の数（往走査での高浸透インクの吐出量）と、２走査目、すなわち復走査で高浸透インク（Ｙ）が吐出される画素の数（復走査での高浸透インクの吐出量）と、が互いに同じとなることがわかる。
【００９７】
次に、レベル２について見てみると、図１０（ａ）に示すインデックスパターンＩ、ＩＩ、ＩＩＩ、ＩＶでは、左上（インデックスパターンＩ、ＩＶ）と左下（インデックスパターンＩＩ、ＩＩＩ）に２回ずつインクの吐出が定められている。したがって、左側の２画素には合計で４回インクの吐出が定められている。一方、右上（インデックスパターンＩＩ、ＩＶ）と右下（インデックスパターンＩ、ＩＩＩ）にも２回ずつインクの吐出が定められており、右側の合計で２画素にも４回インクの吐出が定められていることがわかる。つまり、インデックスパターンＩ、ＩＩ、ＩＩＩ、ＩＶのレベル２でも、レベル１と同様に、２画素×２画素のうちの左側にインクの吐出が定められた数と右側にインクの吐出が定められた数が同じとなる。
【００９８】
ここから、レベル１のときと同様に考えれば、図９（ｂ）に示すインデックスパターン群内の１６個の画素群それぞれにレベル２の量子化データが入力された場合においても、往走査での高浸透インクの吐出量と、復走査での高浸透インクの吐出量と、が互いに同じとなることがわかる。
【００９９】
一方、図９（ｃ）は低浸透インク（Ｋ２）に対応する量子化データに適用するインデックスパターン群を示している。図９（ｃ）に示すインデックスパターン群には、４つの画素ａ０、ｂ３、ｃ０、ｄ３にインデックスパターンＶが、４つの画素ａ１、ｂ２、ｃ１、ｄ２にインデックスパターンＶＩが、４つの画素ａ２、ｂ１、ｃ２、ｄ１にインデックスパターンＶＩＩが、４つの画素ａ３、ｂ０、ｃ３、ｄ０にインデックスパターンＶＩＩＩが、それぞれ割り当てらている。このように、低浸透インク（Ｋ２）に対応するインデックスパターン群には、インデックスパターンＶ、ＶＩ、ＶＩＩ、ＶＩＩＩが同じ数ずつ設定されている。
【０１００】
図１０（ｂ）は上述したインデックスパターンＶ、ＶＩ、ＶＩＩ、ＶＩＩＩの詳細を示す図である。なお、ここでは簡単のため、それぞれのインデックスパターンのうち、量子化データがレベル１、レベル２に対応するものだけを示している。
【０１０１】
インデックスパターンＶは、レベル１のときには左下の１つの画素にのみ、レベル２のときには左上、左下の２つの画素にインクの吐出を定めている。
【０１０２】
また、インデックスパターンＶＩは、レベル１のときには左上の１つの画素にのみ、レベル２のときには左上、左下の２つの画素にインクの吐出を定めている。
【０１０３】
また、インデックスパターンＶＩＩは、レベル１のときには左下の１つの画素にのみ、レベル２のときには左下、右上の２つの画素にインクの吐出を定めている。
【０１０４】
また、インデックスパターンＶＩＩＩは、レベル１のときには右上の１つの画素にのみ、レベル２のときには右上、左下の２つの画素にインクの吐出を定めている。
【０１０５】
上述したように、インデックス展開処理において２画素×２画素の画素群のうちの左側の２画素にインクの吐出が定められている場合には１走査目（往走査）へ、右側の２画素にインクの吐出が定められている場合には２走査目（復走査）へ、量子化データが分配される。
【０１０６】
ここで、図１０（ｂ）に示すインデックスパターンＶ、ＶＩ、ＶＩＩ、ＶＩＩＩのレベル１を見てみると、左上（インデックスパターンＶＩ）に１回、左下（インデックスパターンＶ、ＶＩＩ）に２回インクの吐出が定められている。したがって、左側の２画素には合計で３回インクの吐出が定められている。一方、右上（インデックスパターンＶＩＩＩ）にインクの吐出が定められており、右側の２画素には合計で１回インクの吐出が定められていることがわかる。つまり、インデックスパターンＶ、ＶＩ、ＶＩＩ、ＶＩＩＩのレベル１では、２画素×２画素のうちの左側にインクの吐出が定められた数が右側にインクの吐出が定められた数よりも多くなる。ここで、図９（ｃ）に示すインデックスパターン群にはインデックスパターンＶ、ＶＩ、ＶＩＩ、ＶＩＩＩが同じ数ずつ定められていたことを考えると、インデックスパターン群内で見ると、レベル１においては、奇数カラムに対しインクの吐出を定める画素の数が偶数カラムに対しインクの吐出を定める画素の数よりも多くなることがわかる。
【０１０７】
ここから、例えば図９（ｃ）に示すインデックスパターン群内の１６個の画素群それぞれにレベル１の量子化データが入力された場合、１走査目、すなわち往走査で低浸透インク（Ｋ２）が吐出される画素の数（往走査での低浸透インクの吐出量）が、２走査目、すなわち復走査で低浸透インク（Ｋ２）が吐出される画素の数（復走査での低浸透インクの吐出量）よりも多くなることがわかる。
【０１０８】
次に、レベル２について見てみると、図１０（ｂ）に示すインデックスパターンＶ、ＶＩ、ＶＩＩ、ＶＩＩＩでは、左上（インデックスパターンＶ、ＶＩ）に２回、左下（インデックスパターンＶ、ＶＩ、ＶＩＩ、ＶＩＩＩ）に４回インクの吐出が定められている。したがって、左側の２画素には合計で６回インクの吐出が定められている。一方、右上（インデックスパターンＶＩＩ、ＶＩＩＩ）に２回、右下には０回インクの吐出が定められており、右側の２画素には合計で２回インクの吐出が定められていることがわかる。つまり、インデックスパターンＶ、ＶＩ、ＶＩＩ、ＶＩＩＩのレベル２でも、レベル１と同様に、２画素×２画素のうちの左側にインクの吐出が定められた数が右側にインクの吐出が定められた数よりも多くなる。
【０１０９】
ここから、レベル１のときと同様に考えれば、図９（ｃ）に示すインデックスパターン群内の１６個の画素群それぞれにレベル２の量子化データが入力された場合においても、往走査での低浸透インクの吐出量が復走査での低浸透インクの吐出量よりも多くなることがわかる。
【０１１０】
図１１は図９、図１０に示すインデックスパターンを用いて全域に対してレベル２の値の量子化データを処理する場合に生成される記録データを説明するための図である。
【０１１１】
図１１（ａ）は高浸透インク（Ｙ）に対応する量子化データとしてレベル２のデータが入力された際にインデックス展開処理にて生成される２値データを示す模式図である。この場合、図９（ｂ）に示すインデックス展開パターン群が用いられるため、例えば最も左上の画素群にはインデックスパターンＩが割り当てられる。したがって、図１１（ａ）のうちの最も左上に位置する２画素×２画素の画素群では、インデックスパターンＩのレベル２にしたがい、当該画素群内の左上と右下の画素に対してインクの吐出が定められる。また、図９（ｂ）に示すインデックス展開パターン群内の最も右上の画素群にはインデックスパターンＩＶが割り当てられているため、図１１（ａ）のうちの最も右上に位置する２画素×２画素の画素群では、インデックスパターンＩＶのレベル２にしたがい、当該画素群内の左上と右上の画素に対してインクの吐出が定められる。
【０１１２】
一方、図１１（ｂ）は低浸透インク（Ｋ２）に対応する量子化データとしてレベル２のデータが入力された際にインデックス展開処理にて生成される２値データを示す模式図である。この場合、図９（ｃ）に示すインデックス展開パターン群が用いられるため、例えば最も左上の画素群にはインデックスパターンＶが割り当てられる。したがって、図１１（ｂ）のうちの最も左上に位置する２画素×２画素の画素群では、インデックスパターンＩのレベル２にしたがい、当該画素群内の左上と左下の画素に対してインクの吐出が定められる。また、図９（ｃ）に示すインデックス展開パターン群内の最も右上の画素群にはインデックスパターンＶＩＩＩが割り当てられているため、図１１（ｂ）のうちの最も右上に位置する２画素×２画素の画素群では、インデックスパターンＶＩＩＩのレベル２にしたがい、当該画素群内の右上と左下の画素に対してインクの吐出が定められる。
【０１１３】
次に、図１１（ａ）に示す高浸透インク（Ｙ）に対応する２値データに間引き処理を行った結果、１走査目（往走査）に分配されて生成される記録データを図１１（ｃ）に、２走査目（復走査）に分配されて生成される記録データを図１１（ｄ）にそれぞれ示している。
【０１１４】
上述のように、本実施形態における間引き処理では奇数カラムの２値データは１走査目に、偶数カラムの２値データは２走査目に分配される。ここで、図１１（ａ）からわかるように、高浸透インクの２値データは奇数カラムと偶数カラムに対して同じ数の画素に対してインクの吐出を定めている。したがって、図１１（ｃ）、（ｄ）に示すように、１走査目（往走査）で高浸透インクが吐出される画素（図１１（ｃ））の数と２走査目（復走査）で高浸透インクが吐出される画素（図１１（ｄ））の数は互いに同じとなる。詳細には、図１１（ｃ）、図１１（ｄ）ともに２５％の画素に対してインクの吐出を定めている（記録比率が２５％である）。
【０１１５】
一方、図１１（ｂ）に示す低浸透インク（Ｋ２）に対応する２値データに間引き処理を行った結果、１走査目（往走査）に分配されて生成される記録データを図１１（ｅ）に、２走査目（復走査）に分配されて生成される記録データを図１１（ｆ）にそれぞれ示している。
【０１１６】
図１１（ｂ）からわかるように、低浸透インクの２値データは偶数カラムよりも奇数カラムにおいてより多くの数の画素にインクの吐出を定めている。したがって、図１１（ｅ）、（ｆ）に示すように、１走査目（往走査）で低浸透インクが吐出される画素（図１１（ｅ））の数が２走査目（復走査）で低浸透インクが吐出される画素（図１１（ｆ））の数よりも多くなる。詳細には、図１１（ｆ）では１２．５％の画素にインクの吐出を定めている（記録比率が１２．５％である）のに対し、図１１（ｅ）では３７．５％の画素にインクの吐出を定めている（記録比率が３７．５％である）。
【０１１７】
以上記載したように、本実施形態によれば、図１１に示すように低浸透インク（Ｋ２）については復走査での吐出量（図１１（ｆ）、１２．５％）が往走査での吐出量（図１１（ｅ）、３７．５％）よりも少なくなり、且つ、高浸透インク（Ｙ）については往走査での吐出量（図１１（ｃ）、２５％）と復走査での吐出量（図１１（ｄ）、２５％）がほぼ等しくなるように、往復走査それぞれにおける各色のインクを吐出することができる。
【０１１８】
したがって、高浸透インク（Ｙ）、低浸透インク（Ｋ２）の順序で吐出せざるを得ず、高浸透インク（Ｙ）側への低浸透インク（Ｋ２）の引き寄せが生じ得る復走査において、低浸透インク（Ｋ２）の吐出量を少なくすることができるため、画質低下を抑制した記録を行うことが可能となる。
【０１１９】
（第２の実施形態）
上述した第１の実施形態では、すべての単位領域に対して同じインデックスパターン群を用い、低浸透インクと高浸透インクの記録比率を単位領域間で同じとする形態について記載した。
【０１２０】
これに対し、本実施形態では隣接する単位領域ごとに異なるインデックスパターン群を用い、低浸透インクと高浸透インクの記録比率を単位領域間で異ならせる形態について記載する。
【０１２１】
なお、上述した第１の実施形態と同様の部分については説明を省略する。
【０１２２】
各単位領域に対する各色のインクの付与順序を揃えるため、図４に示すように記録媒体の搬送方向に沿った順方向および逆方向に交互に搬送を繰り返しながら記録を行う場合、最初の走査を行ってから次の走査を行うまでの時間間隔が単位領域ごとに異なってきてしまう。例えば、図４に示す単位領域Ｃに対しては１走査目、２走査目で、単位領域Ａに対しては３、４走査目でインクを付与するため、時間間隔としては１走査分となる。一方で、図４に示す単位領域Ｂに対しては、１走査目、４走査目でインクを付与するため、時間間隔は３走査分となる。このように、図４に示すように順方向および逆方向に搬送を交互に繰り返す場合、記録を行う走査の時間間隔が１走査分となる単位領域（以下、単位領域Ｖとも称する）と３走査分となる単位領域（以下、単位領域Ｗとも称する）とが交互に生じることになる。
【０１２３】
ここで、単位領域Ｖと単位領域Ｗを比較すると、表面張力の違いによる記録媒体表面の露出は単位領域Ｖの方でより顕著に生じる虞がある。
【０１２４】
これは、単位領域Ｖでは単位領域Ｗに比べて記録を行う走査の時間間隔が短いため、低浸透インクは、同一走査で付与された高浸透インクだけなく、以前に付与された高浸透インクに対しても僅かながら引き寄せられてしまうためであると考えられる。
【０１２５】
例えば、単位領域Ｖに属する図４の単位領域Ｃについては、１走査目でインクが付与された後、その次の２走査目で更にインクが付与される。２走査目で付与される低浸透インク（Ｋ２）は、主に同じ２走査目において先に付与される高浸透インク（Ｙ）に引き寄せられるが、１走査目において既に付与された高浸透インク（Ｙ）にも引き寄せられる虞がある。１回の走査が完了する間、すなわち２走査目を行う段階になれば一般に記録媒体中に対するインクの浸透はほぼ完了するものの、２走査目を行う際にも僅かながら記録媒体上に液滴成分が残存している場合がある。その場合、２走査目で付与される低浸透インク（Ｋ２）は、１走査目で既に付与され、未だ残存している高浸透インク（Ｙ）にも接触し、引き寄せられることがあるのである。
【０１２６】
一方で、単位領域Ｗに属する図４の単位領域Ｂについては、最初の走査（１走査目）が行われてから次の走査（４走査目）が行われるまでに３走査分と比較的長い時間間隔がある。そのため、４走査目を開始する際には１走査目で付与された高浸透インク（Ｙ）の浸透は完全に終了していると考えられる。したがって、４走査目においては記録媒体Ｐ上に高浸透インク（Ｙ）が液滴の状態で残存していないため、４走査目で付与される低浸透インク（Ｋ２）は１走査目で付与された高浸透インクには引き寄せられることがない。
【０１２７】
このように、記録を行う走査間の時間間隔が長い単位領域Ｗでは、走査間の時間間隔が短い単位領域Ｖよりも低浸透インクの引き寄せの影響は小さくなる。この点を鑑み、本実施形態では、単位領域Ｗに対して復走査で付与される低浸透インクの吐出量を単位領域Ｖに対して復走査で付与される低浸透インクの吐出量よりも多くする。これにより、単位領域Ｗでは単位領域Ｖに比べて往復走査間で付与される低浸透インクの吐出量の差分を小さくすることができるため、マルチパス記録による効果を好適に得ることができる。
【０１２８】
本実施形態では、低浸透インク（Ｋ２）に対応する量子化データのうち、単位領域Ｖに対応する量子化データに対しては、第１の実施形態と同様に図９（ｃ）に示すインデックスパターン群および図１０（ｂ）に示すインデックスパターンを適用してインデックス展開処理を実行する。
【０１２９】
一方、低浸透インク（Ｋ２）に対応する量子化データのうち、単位領域Ｗに対応する量子化データに対しては、図１２に示すインデックスパターン群と図１０（ｂ）に示すインデックスパターンを適用してインデックス展開処理を行う。
【０１３０】
図１２に示すインデックスパターン群には、４つの画素ａ０、ｂ３、ｃ０、ｄ３にインデックスパターンＶが、２つの画素ａ１、ｃ１にインデックスパターンＶＩが、４つの画素ａ２、ｂ１、ｃ２、ｄ１にインデックスパターンＶＩＩが、６つの画素ａ３、ｂ０、ｂ２、ｃ１、ｃ３、ｄ０にインデックスパターンＶＩＩＩが、それぞれ割り当てられている。このように、図１２に示すインデックスパターン群では、図１０（ｂ）に示すインデックスパターン群に比べて、インデックスパターンＶＩが割り当てられた画素２つ少なく、且つ、インデックスパターンＶＩＩＩが割り当てられた画素が２つ多くなっている。言い換えると、図１２に示すインデックスパターン群では、図１０（ｂ）に示すインデックスパターン群から、２つの画素におけるインデックスパターンＶＩがインデックスパターンＶＩＩＩに置き換えられている。
【０１３１】
ここで、図１０（ｂ）に示すように、インデックスパターンＶＩはレベル１のときに左上の１つの画素に、レベル２のときに左上、左下の２つの画素にインクの吐出を定めている。また、インデックスパターンＶＩＩＩはレベル１のときに右上の１つの画素に、レベル２のときに右上、左下の２つの画素にインクの吐出を定めている。ここから、１つの画素でインデックスパターンＶＩがインデックスパターンＶＩＩＩに置き換わると、２画素×２画素の画素群のうちの左側の画素、すなわち１走査目（往走査）に２値データが分配される画素の数は、レベル１のときで１つ、レベル２のときでも１つ分だけ減ることになることがわかる。
【０１３２】
上述したように図１２に示すインデックスパターン群では２つの画素でインデックスパターンＶＩがインデックスパターンＶＩＩＩに置き換えられているため、図１２に示すインデックスパターン群を用いてインデックス展開処理を行うと、図１０（ｂ）に示すインデックスパターン群を用いた場合に比べて１走査目で吐出が行われる画素の数が２つ分だけ減ることになる。したがって、図１２に示すインデックスパターン群を適用する単位領域Ｗについては、図１０（ｂ）に示すインデックスパターン群を適用する単位領域Ｖに比べ、往走査（１走査目）で付与する低浸透インクの量を減らし、復走査（４走査目）で付与する低浸透インクの量を増やすことが可能となる。
【０１３３】
図１３は図１２、図１０（ｂ）に示すインデックスパターンを用いて全域に対してレベル２の値の量子化データを処理する場合に生成される記録データを説明するための図である。
【０１３４】
図１３（ａ）は単位領域Ｗ、低浸透インク（Ｋ２）に対応する量子化データとしてレベル２のデータが入力された際にインデックス展開処理にて生成される２値データを示す模式図である。単位領域Ｖ、低浸透インク（Ｋ２）に対応する量子化データとしてレベル２のデータが入力された際に生成される、図１１（ｂ）に示す２値データと似通っているが、図１３（ａ）と図１１（ｂ）ではインデックスパターン群の画素群ｂ２、ｃ１に対応する位置でのインク吐出の配置が異なっている。
【０１３５】
図１３（ａ）に示す単位領域Ｗ，低浸透インク（Ｋ２）に対応する２値データに間引き処理を行った結果、１走査目（往走査）に分配されて生成される記録データを図１３（ｂ）に、４走査目（復走査）に分配されて生成される記録データを図１３（ｃ）にそれぞれ示している。
【０１３６】
図１３（ｂ）と図１１（ｅ）を比較するとわかるように、単位領域Ｗに対して往走査で吐出される低浸透インク（Ｋ２）の量は、単位領域Ｖに対して往走査で吐出される低浸透インク（Ｋ２）の量よりも少なくなる。また、図１３（ｃ）と図１１（ｆ）を比較するとわかるように、単位領域Ｗに対して復走査で吐出される低浸透インク（Ｋ２）の量は、単位領域Ｖに対して復走査で吐出される低浸透インク（Ｋ２）の量よりも多くなる。
【０１３７】
このように、本実施形態では、単位領域Ｗでは単位領域Ｖに比べて低浸透インクの引き寄せが生じにくいため、単位領域Ｖに比べて低浸透インクの吐出量を往走査では少なくし、復走査では多くする。これにより、低浸透インクの引き寄せによる表面色の露出を低減しつつ、マルチパス効果も好適に得ることができる。
【０１３８】
（第３の実施形態）
上述した第１、第２の実施形態では、インデックス展開処理と間引き処理によって付与順序を設定する形態について記載した。
【０１３９】
これに対し、本実施形態では、マスクパターンを用いた２値データの分配処理で付与順序を設定する形態について記載する。
【０１４０】
なお、上述した第１、第２の実施形態と同様の部分については説明を省略する。
【０１４１】
図１４は本実施形態における制御プログラムにしたがってＣＰＵが実行する、記録に用いられる記録データ生成処理のフローチャートである。
【０１４２】
なお、ステップＳ１１、Ｓ１２については、図５のステップＳ１、Ｓ２と同様である。また、図５のステップＳ３では量子化処理で入力される多値データを５値まで量子化したが、図１４のステップＳ１３では２値までの量子化を実行し、２値データを生成する。
【０１４３】
そして、ステップＳ１４で後述するマスクパターンを用いて２値データを２回の走査に分配する。
【０１４４】
図１５は本実施形態で適用するマスクパターンを示す図である。なお、図１５のうち、黒塗りで示した画素がインクの吐出を許容する画素を、白抜けで示した画素がインクの吐出を許容しない画素をそれぞれ示している。
【０１４５】
高浸透インク（Ｙ）に対応する２値データを、往走査に分配するためのマスクパターンを図１５（ａ）に、復走査に分配するためのマスクパターンを図１５（ｂ）にそれぞれ示している。図１５（ａ）、（ｂ）からわかるように、これらのマスクパターンは、インクの吐出を許容する画素の数が同じ数となるように設定されている。したがって、高浸透インク（Ｙ）については往復走査間での吐出量はほぼ同じとなる。
【０１４６】
一方、低浸透インク（Ｋ２）に対応する２値データを、往走査に分配するためのマスクパターンを図１５（ｃ）に、復走査に分配するためのマスクパターンを図１５（ｄ）にそれぞれ示している。ここで、図１５（ｃ）に示すマスクパターンには、図１５（ｄ）に示すマスクパターンよりも多くの数にインクの吐出の許容が定められている。したがって高浸透インクについては、復走査での吐出量を往走査での吐出量よりも少なくすることができる。
【０１４７】
このように、本実施形態においても、高浸透インク（Ｙ）側への低浸透インク（Ｋ２）の引き寄せが生じ得る復走査において低浸透インク（Ｋ２）の吐出量を少なくすることができるため、画質低下を抑制した記録を行うことが可能となる。
【０１４８】
（その他の実施形態）
なお、以上に説明した各実施形態には、高浸透インク（Ｙ）については往復走査間で吐出量をほぼ同じとする形態について記載したが、他の形態による実施も可能である。但し、低浸透インク（Ｋ２）の引き寄せが発生する高浸透インク（Ｙ）、低浸透インク（Ｋ２）の順で付与する走査（各実施形態では復走査）での高浸透インク（Ｙ）の吐出量が多すぎると、低浸透インク（Ｋ２）が同一の走査で付与される高浸透インク（Ｙ）に接触する面積が大きくなってしまい、低浸透インクの引き寄せが顕著に発生してしまう虞がある。そのため、高浸透インク（Ｙ）については、往復走査間で吐出量の差分が小さい方が好ましい。詳細には、高浸透インク（Ｙ）の往復走査間での吐出量の差分が、低浸透インク（Ｋ２）の往復走査間での吐出量の差分よりも小さいことが好ましい。また、各実施形態に記載したように、高浸透インク（Ｙ）の往復走査間での吐出量の差分がほぼ０である、すなわち高浸透インク（Ｙ）については、往走査での吐出量と復走査での吐出量がほぼ同じであることが最も好ましい。
【０１４９】
また、各実施形態には低浸透インクは高浸透インクに比べて静的表面張力、動的表面張力ともに大きい形態について記載したが、少なくとも一方の表面張力が異なっていれば本実施形態による効果を得ることができる。但し、上述した一方のインク側に対する他方のインクの引き寄せは、同一の走査で付与されたインク間で支配的に起こるため、付与されてから比較的短い時間で発生する現象である。したがって、上述の引き寄せの程度の評価には、表面張力が安定する前の動的表面張力を用いる方がより好ましい。
【０１５０】
また、各実施形態では高浸透インクをイエローインク（Ｙ）、低浸透インクをブラックインク（Ｋ２）として説明したが、表面張力の大小関係が同じであれば、他の種類のインク間でも同様の構成をとることができる。例えば、本実施形態ではシアンインク（Ｃ）もブラックインク（Ｋ２）よりも表面張力が小さい（浸透性が高い）ため、イエローインク（Ｙ）と同様のインデックスパターン群、インデックスパターンを用いることにより、シアンインク（Ｃ）についても効果を得ることができる。
【０１５１】
また、第１の実施形態には搬送方向に沿った順方向および逆方向に交互に記録媒体を搬送する形態について記載したが、順方向にのみ記録媒体を搬送する形態であっても良い。
【０１５２】
また、各実施形態では、低浸透インク（Ｋ２）の吐出量によらず、往復走査それぞれにおける低浸透インク（Ｋ２）の吐出量（分配率）が同じ量となるように制御したが、他の形態による実施も可能である。例えば、低浸透インク（Ｋ２）の吐出量に応じて、往復走査それぞれで低浸透インク（Ｋ２）の吐出量を異ならせても良い。例えば、低浸透インク（Ｋ２）の吐出量が多いほど引き寄せの影響は大きくなるため、低浸透インク（Ｋ２）の吐出量が多い場合においては、低浸透インク（Ｋ２）の吐出量が少ない場合に比べて、復走査で低浸透インク（Ｋ２）が吐出される比率をより少なくなるようにしても良い。
【０１５３】
また、同一の走査で付与される高浸透インク（Ｙ）の吐出量が多い場合にも低浸透インク（Ｋ２）の引き寄せの影響は大きくなるため、高浸透インク（Ｙ）の吐出量が多い場合においては、高浸透インク（Ｙ）の吐出量が少ない場合に比べて、復走査で低浸透インク（Ｋ２）が吐出される比率をより少なくなるようにしても良い。
【０１５４】
また、各実施形態では単位領域ごとに２回の走査で記録を行う形態について記載したが、３回以上の走査で記録を行う形態であっても良い。
【０１５５】
また、同じ種類のインクを使用しても、記録媒体の種類によってインクの浸透速度は異なるため、記録媒体の種類によって低浸透インク（Ｋ２）の引き寄せの度合いも異なる可能性がある。したがって、使用する記録媒体に応じて低浸透インク（Ｋ２）の往復走査の吐出量（分配率）を異ならせるよう制御してもよい。つまり、インクの浸透速度が速い記録媒体ほど、低浸透インク（Ｋ２）の復走査での吐出量が少なくなるよう制御しても良い。
【０１５６】
また、記録ヘッドの走査速度が速いほど、高浸透インク（Ｙ）が付与されてから低浸透インク（Ｋ２）が付与されるまでの時間が短いため、低浸透インク（Ｋ２）の引き寄せの度合いが高くなる。したがって、走査速度に応じて低浸透インク（Ｋ２）の往復走査の吐出量（分配率）を異ならせるよう制御してもよい。つまり、走査速度が速いほど、低浸透インク（Ｋ２）の復走査での吐出量が少なくなるよう制御しても良い。
【０１５７】
また、各実施形態では記録ヘッドの吐出口列の配列順序から、引き寄せが顕著に発生する走査方向は復方向であった。しかし吐出口列の配列順序が異なる場合には、往走査において低浸透インク（Ｋ２）の引き寄せが顕著に発生する場合もある。その場合は、低浸透インクの記録比率が復走査よりも往走査で少なくなるように制御すれば良い。
【符号の説明】
【０１５８】
９  記録ヘッド
３０１  ＣＰＵ
３０２  ＲＯＭ
Ｐ  記録媒体
【図１】
2018140536.tif 000004
【図２】
2018140536.tif 000005
【図３】
2018140536.tif 000006
【図４】
2018140536.tif 000007
【図５】
2018140536.tif 000008
【図６】
2018140536.tif 000009
【図７】
2018140536.tif 000010
【図８】
2018140536.tif 000011
【図９】
2018140536.tif 000012
【図１０】
2018140536.tif 000013
【図１１】
2018140536.tif 000014
【図１２】
2018140536.tif 000015
【図１３】
2018140536.tif 000016
【図１４】
2018140536.tif 000017
【図１５】
2018140536.tif 000018